(57)【要約】【課題】ジーンズパンツなどのパンツにおける臀部対応部分に縫い合せ部分を生じさせることなく、また、その臀部対応部分に伸縮性を生じさせるようにし、ジーンズパンツなどのパンツを車椅子利用者においても安心して着用できるものとする。【解決手段】パンツ背部を、着用者の左下半身に対応し着用者の臀部に対応する部分を切り欠いてなる左後身頃部５と、着用者の右下半身に対応し着用者の臀部に対応する部分を切り欠いてなる右後身頃部６と、着用者の臀部に対応し一枚のジーンズ生地からなる臀部対応部７とから構成し、その臀部対応部７のジーンズ生地はバイアス裁ちして臀部対応部７の布目が生地高さ方向に対して傾斜して最大伸び方向を臀部周りに沿った方向に設定する。【選択図】    図３
2007056384.tif 000002
【特許請求の範囲】
【請求項１】
パンツ背部が、着用者の左下半身に対応し着用者の臀部に対応する部分を切り欠いてなる左後身頃部と、着用者の右下半身に対応し着用者の臀部に対応する部分を切り欠いてなる右後身頃部と、着用者の臀部に対応し一枚生地からなる臀部対応部とから構成され、前記臀部対応部の生地は該生地の最大伸び方向が臀部周りに沿った方向に設定されていることを特徴とするパンツ。
【発明の詳細な説明】
【技術分野】
【０００１】
本発明は車椅子利用者に適するパンツに関するものである。（なお、本発明での「パンツ」なる用語は衣服におけるズボン、スラックスと同じ意味のものであって、ブリーフなどの下着を指すものではない。）
【背景技術】
【０００２】
従来、車椅子利用者の服装に関して、ビジネススーツで座位姿勢となったときに大きな型崩れなどが目立たないようにするために、スラックスにおいてそのスーツ着用者の臀部に対応する部位について複数のパーツを組み合わせるとともに、左右後身頃での尻ぐりを前倒させ、後股上を長くするなどの工夫が提案されている（例えば、特許文献１参照）。
【特許文献１】特開２００４−０１１０９１号公報
【発明の開示】
【発明が解決しようとする課題】
【０００３】
ところで車椅子利用者においてもカジュアルな服装としてジーンズパンツを着用したいとの要望がある。しかしながら、一般のジーンズパンツにおいては左後身頃と右後身頃とが合わされる尻ぐりは縫い合せ部分となっており、座位姿勢時の引っ張り強度に耐え得るべく尻ぐりの縫い代を折り重ねて重ね縫いしていて、その部分の厚さが大きくなっているため、車椅子に座ったときに縫い合せ部分が座面に押されて臀部を部分的に押すという状態になる。そして、車椅子利用者においては車椅子に長時間座るという生活習慣であるため臀部に床ずれを患っている場合が多く、縫い合せ部分が床擦れによる炎症部位を押して痛みを生じさせるという問題がある。なお、実用公開昭和６１−０６９２１３号において臀部対応部分を一枚のパーツとするレインウエアが提案されているが、ジーンズパンツとして用いる素材を対象としているものでなく、示された構成も以下に示す理由によりジーンズパンツとしては採用できないものである。
【０００４】
即ち、ジーンズパンツにおける左右の後身頃それぞれは布目がパンツ長さ方向に揃っており、かつ、ジーンズ生地（ジーン）自体も布目方向および布目方向に直交する方向において伸縮性に富む素材ではない。そのため、座位姿勢を採ったときの着用者臀部に対しては、後身頃それぞれの臀部対応部分からの締め付け力が高まるようになる。そして、上述したように車椅子利用者ではその車椅子での座位姿勢が長く、臀部体表面側から臀部の末梢血管を押し続ける状態が長時間となることから、床擦れを生じさせ易いものとなる。
そこで上記事情に鑑み、ジーンズパンツなどのパンツにおける臀部対応部分に縫い合せ部分を生じさせることなく、また、その臀部対応部分に伸縮性を生じさせるようにすることを課題とし、ジーンズパンツなどのパンツを車椅子利用者においても安心して着用できるものとすることを目的とする。
【課題を解決するための手段】
【０００５】
本発明は上記課題を考慮してなされたもので、パンツ背部が、着用者の左下半身に対応し着用者の臀部に対応する部分を切り欠いてなる左後身頃部と、着用者の右下半身に対応し着用者の臀部に対応する部分を切り欠いてなる右後身頃部と、着用者の臀部に対応し一枚生地からなる臀部対応部とから構成され、前記臀部対応部の生地は該生地の最大伸び方向が臀部周りに沿った方向に設定されていることを特徴とするパンツを提供して、上記課題を解消するものである。
【発明の効果】
【０００６】
本発明によれば、臀部対応部が一枚生地にて構成されているために尻ぐりの縫い合せ部分がなく、座位姿勢を採ったときに臀部中央部分に対して強く当たる個所が存在しないようになる。さらに臀部対応部が左右方向（臀部周り方向）で最大の伸びが得られるので、座位姿勢をとったときにおいても臀部に対する生地からの押圧力が小さく、床擦れを生じさせる原因とならないなど、実用性に優れた効果を奏するものである。
【発明を実施するための最良の形態】
【０００７】
つぎに本発明を図１から図３に示す実施の形態に基づいて詳細に説明する。
図中１は本発明に係るジーンズのパンツで、該パンツ１はパンツ背部において臀部対応部２を一枚のジーンズ生地とし、その臀部対応部２でのジーンズ生地はバイアス裁ちして布目が生地高さ方向に対して約４５°の傾斜となるように設けられているものである。
このパンツ１の部材構成が図２、図３に示されている。パンツ前部は、図２（ａ）に示すように着用者の左下半身に対応する左前身頃部３と、着用者の右下半身に対応する右前身頃部４とからなるものである。図３に示すようにパンツ背部にあっては、着用者の左下半身に対応する左後見頃部５と、着用者の右下半身に対応する右後見頃部６と、着用者の臀部に対応していて座位姿勢の時の臀部表面を覆うことのできる広さとした上記臀部対応部２とからなるものである。そして、前述した左後見頃部５と右後見頃部６とのそれぞれにあっては、着用者の臀部に対応する部分を切り欠かれた形状としている。
図２（ｂ）で符号７で示すものは着用者の腰回りに位置することになるベルト通し対応部であって、要所に裏打ち部材としてゴム帯が縫い付けられているとともに、下腹部前部中央となるベルト通し対応部７の両端には面ファスナ８が取り付けられている。なお、図２（ｂ）と図３で波線で示す位置はギャザー縫いにて縫い合せる部分を示している。
上記これらの部材を着用者の対応部位に位置するように縫い合せてジーンズ製のパンツ１が形成されており、着用者の臀部に対応する位置において一枚のジーンズ生地からなる臀部対応部２が配置されたものとしている。
【０００８】
上記左前見頃部３、右前見頃部４、左後見頃部５、右後ろ身頃部６それぞれのジーンズ生地は生地高さ方向に布目の方向が揃えられている。これに対して臀部対応部７は一枚のジーンズ生地からなるものとされ、そのジーンズ生地はバイアス裁ちされていて、布目が生地高さ方向に対して約４５°に傾斜している。これによって前記臀部対応部７は臀部周り方向に沿った方向に最大伸び方向が揃うようになり、着用者が座位姿勢をとったときには臀部周り方向に伸びて臀部に圧迫を加えないようになり、加えて従来の尻ぐりに位置していた縫い合せ部分が存在しないため、局部的に臀部を押圧することもないものである。
なお、図において矢印は布目の方向を表現している。
【０００９】
上記実施の形態ではジーンズ生地を材料としたジーンズのパンツを例示したが、本発明はこの実施の形態に限定されるものではない。また、上記臀部対応部においてジーンズ生地の最大伸び方向を所定方向に向かせるために、ジーンズ生地をバイアス裁ちして布目の方向を約４５°に傾斜させているが、本発明はこの例に限定されるものではない。即ち、各種の生地において編み方、織り方などで最大伸び方向がほぼ定まるものである。よって、臀部対応部に用いる生地はその生地の最大伸び方向を臀部周りに沿った方向に揃えるようにすればよい。勿論、ストレッチ生地のように複数方向に最大の伸び方向がある場合には何れかの方向を選択すればよい。
【図面の簡単な説明】
【００１０】
【図１】本発明に係るパンツの一例を示す説明図である。
【図２】一例におけるパンツ前部の構成部材とベルト通し構成部を示す説明図である。
【図３】一例におけるパンツ背部の構成部材を示す説明図である。
【符号の説明】
【００１１】
１…パンツ
２…臀部対応部
３…左前見頃部
４…右前見頃部
５…左後見頃部
６…右後見頃部
７…ベルト通し対応部
８…面ファスナ
【図１】
2007056384.tif 000003
【図２】
2007056384.tif 000004
【図３】
2007056384.tif 000005